(57)【要約】【課題】顧客の好みによって照射色の選択や変化が可能な、より演出効果のある可変色縦型照明器具および可変色縦型照明システムを提供する。【解決手段】可変色縦型照明システム５０は、２組の器具本体５１、５２と、電源部８０と、点滅制御信号を発信するリモコン８６とを備えている。器具本体５１、５２には縦長の発光部透明カバー６５が設けられており、内部の発光ダイオードからのＲＧＢの色光が外部に投射される。リモコン８６は、個々の発光ダイオードの点滅とそのタイミングである点滅制御信号を器具本体のリモコン受光部に発信し、個々の発光ダイオードは点滅制御信号に従って点滅を行う。テレビモニタなどの左右に照射方向が背後の壁面を向くように配置し、リモコン８６によって被照射面の色光とその変化のタイミングを制御することによりホームシアターの雰囲気が得られる。【選択図】図３
2008204855.tif 000002
【特許請求の範囲】
【請求項１】
複数の発色光源が長手方向に並んで設けられた縦型の照明器具本体と、
前記照明器具本体に給電する給電手段と、
前記発色光源の点滅手段と、を備えたことを特徴とする可変色縦型照明器具。
【請求項２】
請求項１に記載の可変色縦型照明器具において、
すべての前記照明器具本体には、前記点滅手段により任意の組み合わせとタイミングで点滅が可能なＲ色、Ｇ色、Ｂ色の光源が所定の配列に並んで設けられている、可変色縦型照明器具。
【請求項３】
請求項１または請求項２に記載の可変色縦型照明器具において、
前記発色光源が発光ダイオードである、可変色縦型照明器具。
【請求項４】
請求項１から請求項３のいずれか１項に記載の可変色縦型照明器具において、
前記照明器具本体には、前記発色光源が１列に配置された照明部本体と、該照明部本体を保持するベースと、ベースカバーと、透光部を有する本体カバーと、点灯回路とが設けられている、可変色縦型照明器具。
【請求項５】
請求項１から請求項４のいずれか１項に記載の可変色縦型照明器具を用いた可変色縦型照明システムであって、
点滅させる光源の色光と点滅のタイミングとを示す点滅制御信号を発信するリモコン型の制御信号発信部を具備し、
前記可変色縦型照明器具は、
前記点滅制御信号を受信して、点滅させる光源の色光と点滅のタイミングとを前記点灯回路に指定する制御信号受信部を備え、
前記点灯回路は、前記制御信号受信部により指定された点滅させる光源の色光と点滅のタイミングで前記発色光源の点滅を行うことを特徴とする可変色縦型照明システム。
【請求項６】
請求項１から請求項４のいずれか１項に記載の可変色縦型照明器具を複数用いて構成される可変色縦型照明システムであって、
点滅させる光源の色光と点滅のタイミングとを示す点滅制御信号を発信するリモコン型の制御信号発信部を具備し、
１つの可変色縦型照明器具は、前記点滅制御信号を受信して、すべての可変色縦型照明器具の前記点灯回路に指定する制御信号受信部を備え、
前記点灯回路は、前記制御信号受信部により指定された点滅させる光源の色光と点滅のタイミングで前記発色光源の点滅を行うことを特徴とする可変色縦型照明システム。
【発明の詳細な説明】
【技術分野】
【０００１】
本発明は可変色縦型照明器具および可変色縦型照明システムに関し、特に複数の色光の光源の点滅タイミングの制御が可能な可変色縦型照明器具および可変色縦型照明システムに関する。
【背景技術】
【０００２】
近年、市場ではテレビの大型化や家庭用のプロジェクタの導入に伴って、家庭におけるシアター意識が高まりつつある。それに伴って、テレビ視聴時には蛍光灯または白熱灯をフル点灯させて見るのではなく、主照明を暗くしてムード照明状態での演出効果を行ってテレビを視聴する顧客が増えつつある。そこで、テレビモニタやスクリーンの背面の壁面を光らすことにより、モニタ画面が壁面より浮き出して見える演出効果を得るための照明器具として、白熱ランプまたは蛍光ランプを使用したホームシアター用間接照明器具がすでに市販されている。
【０００３】
特許文献１（特開２００６−１０７９０５号公報）には、画像入力装置から入力された画像データの特徴量を処理ブロックごとに検出し、特徴画像領域と照明領域との距離および特徴画像領域を中心とする画像データの特徴量の変化に基づいて、照明パラメータの設定値を算出して照明装置に出力し、それに基づく明るさや色の光を照射させる照明制御装置が開示されている。
【０００４】
しかし、ホームシアター用間接照明器具について特許文献を検索したが、対応する文献は得られなかった。
【特許文献１】特開２００６−１０７９０５号公報
【発明の開示】
【発明が解決しようとする課題】
【０００５】
市販されているホームシアター用照明器具の場合の発光色は単色一色であって、顧客の好みで都度発光色を選択することが不可能であり、また天井取り付け用が主流であった。ホームシアター用間接照明器具としては、画面の背景をムードのある照明とすることが望まれるので、画面の両端から背面を照射することが望ましい。特許文献１に記載のような高度の照明制御は、現在のところ求められていない。
【０００６】
本発明の目的は、視聴者の好みによって照射色の選択や変化が可能な、より演出効果のある可変色縦型照明器具および可変色縦型照明システムを提供することにある。
【課題を解決するための手段】
【０００７】
本発明の可変色縦型照明器具は、
複数の発色光源が長手方向に並んで設けられた縦型の照明器具本体と、照明器具本体に給電する給電手段と、発色光源の点滅手段と、を備えたことを特徴とする。
【０００８】
すべての照明器具本体には、点滅手段により任意の組み合わせとタイミングで点滅が可能なＲ色、Ｇ色、Ｂ色の光源が所定の配列に並んで設けられていてもよく、発色光源が発光ダイオードであってもよい。
【０００９】
照明器具本体には、発色光源が１列に配置された照明部本体と、その照明部本体を保持するベースと、ベースカバーと、透光部を有する本体カバーと、点灯回路とが設けられていてもよい。
【００１０】
本発明の可変色縦型照明システムは、
第１の態様では、上述の可変色縦型照明器具を用いた可変色縦型照明システムであって、点滅させる光源の色光と点滅のタイミングとを示す点滅制御信号を発信するリモコン型の制御信号発信部を具備し、可変色縦型照明器具は、点滅制御信号を受信して、点滅させる光源の色光と点滅のタイミングとを点灯回路に指定する制御信号受信部を備え、点灯回路は、制御信号受信部により指定された点滅させる光源の色光と点滅のタイミングで発色光源の点滅を行うことを特徴とする。
【００１１】
第２の態様では、上述の可変色縦型照明器具を複数用いて構成される可変色縦型照明システムであって、点滅させる光源の色光と点滅のタイミングとを示す点滅制御信号を発信するリモコン型の制御信号発信部を具備し、１つの可変色縦型照明器具は、点滅制御信号を受信して、すべての可変色縦型照明器具の点灯回路に指定する制御信号受信部を備え、点灯回路は、制御信号受信部により指定された点滅させる光源の色光と点滅のタイミングで発色光源の点滅を行うことを特徴とする。
【００１２】
照明器具本体を２組設けることにより、画面の左右に配置して後ろの壁面を照らすことができる。Ｒ色、Ｇ色、Ｂ色の光源を設けることにより白色を含む任意の色光を照射でき、タイミングの調整により虹色の照射もできる。また、発光ダイオードを用いることにより消費電力を節減できる。
【００１３】
点滅手段としてリモコン型の制御信号発信部を用いた場合は、広く使用されているリモコン型の制御器を使用したので違和感なく操作ができる。
【発明の効果】
【００１４】
本発明は、１台または複数の可変色縦形照明器具で画面の背面を照射でき、かつ発光ダイオードのＲＧＢの色光から任意の色光を選択して任意のタイミングで点滅されることが可能なので、顧客の好みにより照射色の選択が可能であり、より演出効果を上げることができるという効果がある。
【００１５】
さらにリモコン型の制御信号発信部を用いる可変色縦形照明システムの場合は、遠方からの操作が可能であり、広く使用されているリモコン型の制御器を使用したので違和感なく操作ができるという効果がある。
【発明を実施するための最良の形態】
【００１６】
次に、本発明の実施の形態について図面を参照して説明する。第１の実施の形態では可変色縦型照明器具について説明し、第２の実施の形態では可変色縦型照明システムについて説明する。
【００１７】
図１は本発明の第１の実施の形態の可変色縦型照明器具の模式的斜視図であり、図２は本発明の第１の実施の形態の可変色縦型照明器具の器具本体の構成を説明するための分解斜視図である。
【００１８】
可変色縦型照明器具１０は、器具本体１１と、電源部４０と、発光制御部３３とを備えている。器具本体１１には縦長の発光部透明カバー２５が設けられており、内部の発光ダイオード３１からの色光が外部に投射される。
【００１９】
電源部４０は、電源のオンオフを操作する電源ボックス４４と、器具本体１１と電源ボックス４４とを接続する第２の接続コード４２と、プラグ４５と、プラグ４５と電源ボックス４４とを接続する第１の接続コード４１とから構成される。
【００２０】
発光制御部３３は、器具本体１１の頂部に設けられており、個々の発光ダイオードの点滅とそのタイミングである点滅制御信号を手動で入力でき、入力された点滅制御信号は点灯回路３２に伝送されて個々の発光ダイオード３１の点滅とそのタイミングが制御される。発光制御部３３は器具本体１１に直接ではなく、例えば電源ボックス４４などに本体と離れて設けられてもよい。
【００２１】
可変色縦型照明器具１０は、通常テレビモニタなどの画面表示部の背面や、あるいはテレビモニタの左右に発光部透明カバー２５が背面を向くように２台が配置されて背後の壁面を照射し、被照射面の色光とその変化のタイミングは発光制御部３３の操作によって制御されてホームシアターの雰囲気を醸成する。設置台数や設置位置や照射方向はこれに限定されるものではなく、周囲の状況に対応して選定されればよい。
【００２２】
次に、可変色縦型照明器具１０の器具本体１１の構成を図２を参照して説明する。本体フレーム２２にＲＧＢの発光ダイオード３１が所定の配列で取り付けられた照明部本体２１と、照明部本体２１のベース２３と、発光ダイオード３１と対向する面に発光部透光カバー２５が設けられた本体カバー２４と、ベースカバー２６とを有し、本体カバー２４の上部には発光制御部３３が取り付けられている。
【００２３】
ベース２３には、発光ダイオード３１の点滅を制御する点灯回路３２が取り付けられている。点灯回路３２には電源ボックス４４からの第２の接続コード４２を介して電源が供給される。また、点灯回路３２には発光制御部３３からの不図示の制御線が接続されており制御信号が入力する。
【００２４】
本体フレーム２２にはＲＧＢの複数の発光ダイオード３１が所定の配列で配置されており、それぞれが点灯回路３２に接続し、発光制御部３３から入力した制御信号による点灯回路３２の制御により、選択された発光ダイオード３１が所定のタイミングで点滅する。
【００２５】
発光制御部３３への手動による入力操作により、点灯するＲＧＢの選択とその点滅が制御できるので、Ｒ、Ｇ、Ｂそれぞれの単独の発光、複合した発光が可能であり、照射面を単独の色光、複合した色光で照射することができ、点灯する発光ダイオード３１の数により照度を制御することができる。また点滅のタイミングを制御することができるので、所望の色光、または色光の組み合わせを、所定の照度で、所定のタイミングで照射することができる。この操作は発光制御部３３のボタンによる直接の操作によってもよく、予め変化のプログラムを設定しておけばプログラムの選択で行うことができる。例えば、ＲＧＢを同じ照度で照射すれば白色光がえられ、ＲＧＢを順次照射すれば虹色の発光が得られる。
【００２６】
これまで、ホームシアター用の照明として説明したが、ＲＧＢ発光ダイオードが制御できるインテリアスタンド、室内間接照明器具、店舗演出照明器具用として用いることも可能である。
【００２７】
次に、本発明の第２の実施の形態の可変色縦形照明システムについて図面を参照して説明する。図３は本発明の第２の実施の形態の可変色縦形照明システムの模式的斜視図であり、図４は本発明の第２の実施の形態の可変色縦形照明システムをテレビモニタと組み合わせて使用している状態の模式的斜視図であり、図５は本発明の第２の実施の形態の可変色縦形照明システムの第１の器具本体の構成を説明するための分解斜視図である。
【００２８】
第１の態様では、それぞれの器具本体１１にリモコン受光部７３を有するが、第２の態様では、１台の器具本体１１にリモコン受光部７３を設け、他の器具本体１１を含めて１台の器具本体１１に設けられたリモコン受光部７３からの制御信号により制御する。ここでは第２の態様を例として説明する。
【００２９】
本発明の第２の実施の形態の可変色縦形照明システム５０は基本的には第１の実施の形態の器具本体１１を１台、あるいは２台以上を連結して、リモコン８６により離れた場所から操作可能にしたシステムである。従って、構成する器具本体は第１の実施の形態の器具本体とほぼ同じ構成なので、相違点を説明し、同じ部分については詳細な説明を省略する。ここでは２台の器具本体を用いて１個のリモコン８６により２台を同時に制御するシステムを例として説明する。
【００３０】
可変色縦型照明システム５０は、第１の器具本体５１と第２の器具本体５２との２台の器具本体と、電源部８０と、点滅制御信号を発信する制御信号発信部であるリモコン８６とを備えている。第１の実施の形態の器具本体１１と同様に、第１の器具本体５１、第２の器具本体５２には縦長の発光部透明カバー６５が設けられており、内部の発光ダイオード７１からの色光が外部に投射される。
【００３１】
電源部８０は、第１の器具本体５１と第２の器具本体５２とを接続する第３の接続コード８３と、電源のオンオフを操作する電源ボックス８４と、第１の器具本体５１と電源ボックス８４とを接続する第２の接続コード８２と、プラグ８５と、プラグ８５と電源ボックス８４とを接続する第１の接続コード８１とから構成される。
【００３２】
第１の実施の形態と同様に、第１の器具本体５１のベース６３には、発光ダイオード７１の点滅を制御する点灯回路７２が取り付けられている。点灯回路７２には電源ボックス８４からの第２の接続コード８２を介して電源が供給される。
【００３３】
リモコン８６は、個々の発光ダイオード７１の点滅とそのタイミングである点滅制御信号を発信する制御信号発信部であり、点滅制御信号を第１の器具本体５１の頂部に配置された制御信号受信部であるリモコン受光部７３（図５）に発信する。リモコン受光部７３は赤外線を透過するリモコン受光カバー６７で保護されている。
【００３４】
リモコン受光部７３は、リモコン８６からの点滅制御信号を受信して不図示の制御線を経由して点灯回路７２に出力し、点灯回路７２は点滅制御信号に従って発光ダイオード７１の点滅を制御する。
【００３５】
第２の器具本体５２にはリモコン受光部７３は設けられておらず、第１の器具本体５１のリモコン受光部７３から、リモコン８６からの点滅制御信号を不図示の制御線を経由して点灯回路７２が受信して、発光ダイオード７１の点滅を制御する。
【００３６】
ここではリモコン８６の制御信号は、通常のリモコンと同様に赤外線を介して授受されるものとするが、これに限定されるものではなく空間を介して信号が授受できる手段であればよい。また、それぞれの器具本体にリモコン受光部３３を設けてそれぞれをリモコン８６で制御できるようにしてもよい。
【００３７】
第１の器具本体５１の構成は、図５に示すように、図２に示す第１の実施の形態の器具本体１１とは、発光制御部３３がリモコン受光部７３となり、リモコン受光部７３から第２の器具本体５２の点灯回路７２への制御線が設けられている以外は同じなので詳細な説明は省略する。
【００３８】
可変色縦型照明システム５０の第１の器具本体５１と第２の器具本体５２とは、通常図４に例示されるようにテレビモニタ９０などの画面表示部の左右に発光部透明カバー６５が背面を向くように配置されて背後の壁面を照射し、被照射面の色光とその変化のタイミングはリモコン８６によって制御される。設置位置や照射方向はこれに限定されるものではなく、周囲の状況に対応して選定されればよい。
【００３９】
ここでは、可変色縦型照明システム５０には第１の器具本体５１と第２の器具本体５２との２台の器具本体が設けられて、その色光とその変化のタイミングによりホームシアターの雰囲気を醸成しているが、２台に限定されるものではなく、特に図示しないが１台の器具本体のみを有する可変色縦型照明システムであっても、その効果は減少するがホームシアターの雰囲気を醸成することができる。また３組以上としても違った効果が期待できる。
【図面の簡単な説明】
【００４０】
【図１】本発明の第１の実施の形態の可変色縦型照明器具の模式的斜視図である。
【図２】本発明の第１の実施の形態の可変色縦型照明器具の器具本体の構成を説明するための分解斜視図である。
【図３】本発明の第２の実施の形態の可変色縦形照明システムの模式的斜視図である。
【図４】本発明の第２の実施の形態の可変色縦形照明システムをテレビモニタと組み合わせて使用している状態の模式的斜視図である。
【図５】本発明の第２の実施の形態の可変色縦形照明システムの第１の器具本体の構成を説明するための分解斜視図である。
【符号の説明】
【００４１】
１０    可変色縦型照明器具
１１    器具本体
２１、６１    照明部本体
２２、６２    本体フレーム
２３、６３    ベース
２４、６４    本体カバー
２５、６５    発光部透光カバー
２６、６６    ベースカバー
３１、７１    発光ダイオード
３２、７２    点灯回路
３３    発光制御部
４０、８０    電源部
４１、８１    第１の接続コード
４２、８２    第２の接続コード
４４、８４    電源ボックス
４５、８５    プラグ
５０    可変色縦形照明システム
５１    第１の器具本体
５２    第２の器具本体
６７    リモコン受光部カバー
７３    リモコン受光部
８３    第３の接続コード
８６    リモコン
９０    テレビモニタ
【図１】
2008204855.tif 000003
【図２】
2008204855.tif 000004
【図３】
2008204855.tif 000005
【図４】
2008204855.tif 000006
【図５】
2008204855.tif 000007